(57)【要約】      （修正有）【課題】卓上で使用する際に、容易に倒れたりすることのない安定性を発揮し、また、家屋や乗物などに係る立体的な装飾性を備えて、使用者の趣味性を満足させられるような商品価値の高いカレンダー兼用小物入れを提供する。【解決手段】正立姿勢で載置面に載置することのできる厚紙製の箱体１０とカレンダー表示部３４とを備える。箱体１０の上面開口を開閉可能なカバーを有する。箱体１０は家屋外壁の外観を模して形作る。箱体１０の側板１５に備わっている山形部１５ａに、カレンダー３０を山形に象って保持させる。【選択図】図２
0003190907.tif 000002
【実用新案登録請求の範囲】
【請求項１】
小物収容空間を形成する厚紙製の箱体とカレンダー表示部とを備えるカレンダー兼用小物入れであって、
上記箱体は正立姿勢で載置面に載置することができるようになっていると共に、その箱体の開放された上面開口を開閉可能なカバーを有し、上記箱体又は上記カバーに、上記カレンダー表示部が備わっていることを特徴とするカレンダー兼用小物入れ。
【請求項２】
家屋外壁の外観を模して形作られた上記箱体の上面開口を形成している一対の側板に三角形状の山形部が備わり、表紙と裏紙とそれらの間に介在されて上記カレンダー表示部を形成している複数枚のカレンダーカードとをめくり返し可能に連結することによって構成されたカレンダーの上記裏紙が、上記側板の山形部の片側の斜縁部に重なり状に保持されていると共に、このカレンダーの複数枚の上記カレンダーカードと上記表紙とが、上記側板の山形部の他側の斜縁部に対する重なり位置と上記裏紙に対する重なり位置との間で、上記山形部の頂部付近を中心としてめくり返し可能とされ、かつ、このカレンダーが、家屋の屋根の外観を模して形作られた上記カバーに転用されている請求項１に記載したカレンダー兼用小物入れ。
【請求項３】
乗物の外観を模して形作られた上記箱体の内部空間が、仕切り板によって、小物を収容可能な第１収容室と、カレンダー表示部を形成している複数枚の重なり状態のカレンダーカードを起立姿勢で収容可能な第２収容室とに区画されていると共に、上記箱体の１つの側板に、カレンダーカードの収容室に差し込まれたカレンダーカードのカレンダー表示部が臨む開口窓が形成されている請求項１に記載したカレンダー兼用小物入れ。
【請求項４】
上記カバーが、上記箱体に折曲り部を介して一体に連接されている請求項３に記載したカレンダー兼用小物入れ。
【考案の詳細な説明】
【技術分野】
【０００１】
本考案は、カレンダー兼用小物入れに関する。
【背景技術】
【０００２】
従来より、カレンダーや小物入れは、それぞれ、個別に種々のものが提案されていたけれども、最近では、それら両者を組み合わせてカレンダーとしての使用や小物入れとしての使用が可能になるような工夫の講じられた単独の物品も提案されている。その１つの先行例として、カレンダーの背面部に湾曲させた薄板ケースを取り付けることによって、その薄板ケースとカレンダーの背面部とによって取り囲まれた空間に、ボールペンなどの小物類を収容することができるようにした小物入れ付き表示ケースがある（たとえば、特許文献１参照）。また、他の先行例として、曜日表示部を設けた掛板体に縦横に並べて日付を表示した小さな箱体を取り付けた小物整理具がある（たとえば、特許文献２参照）。
【先行技術文献】
【特許文献】
【０００３】
【特許文献１】特開２００８−２５６８９８号公報
【特許文献２】特開２００４−１６７０５３号公報
【考案の概要】
【考案が解決しようとする課題】
【０００４】
先行例に掲げて説明した特許文献１のものは、偏平なカレンダーと薄板ケースを平面状に重ね合わせた状態で搬送することができるため、封筒などに入れて偏平な荷姿で郵送するのに適する、とされている。しかしながら、たとえば卓上に置いて使用することを想起すると、卓上においたときの安定性に掛け、手や物が少し触れるだけで容易に倒れてしまい、薄板ケースとカレンダーの背面部とによって取り囲まれた空間に収容したボールペンなどの小物類が散乱してしまうということが懸念される。
【０００５】
他の先行例に掲げて説明した特許文献２のものは、壁掛け式であり、卓上において使用することには適していない。
【０００６】
また、両方の先行例のものは、いずれも、家屋や乗物などに係る立体的な装飾性についてはそれほどの考慮がなされているとは云えず、使用者の趣味性を満足させられるような対策が講じられているものではなかった。
【０００７】
本考案は、以上の状況の下でなされたものであり、卓上で使用する際に、容易に倒れたりすることのない安定性を発揮させることのできるカレンダー兼用小物入れを提供することを目的としている。
【０００８】
また、本考案は、家屋や乗物などに係る立体的な装飾性を備えていて、使用者の趣味性を満足させられるような対策を講じることによって、商品価値の高いカレンダー兼用小物入れを提供することを目的としている。
【課題を解決するための手段】
【０００９】
本考案に係るカレンダー兼用小物入れは、小物収容空間を形成する厚紙製の箱体とカレンダー表示部とを備えている。そして、上記箱体は正立姿勢で載置面に載置することができるようになっていると共に、その箱体の開放された上面開口を開閉可能なカバーを有し、上記箱体又は上記カバーに、上記カレンダー表示部が備わっている。
【００１０】
この構成を備えたカレンダー兼用小物入れによると、カレンダー表示部が日付や曜日などの情報を表示する所謂カレンダー機能を発揮する。また、箱体の他物収容空間に小物を入れておくことが可能であるために小物入れとしての機能を発揮する。
【００１１】
また、小物収容空間を形成する厚紙製の箱体が立体的形状を有しているために、その箱体を正立姿勢でテーブルや机の上面といった載置面に載置した状態では、手や物が少し触れた程度では容易に倒れることのない載置安定性が発揮される。したがって、卓上で使用しても、箱体が倒れて小物収容空間に収容した小物が散乱するという事態が起こりにくい。また、箱体の開放された上面開口をカバーで閉じておくことが可能であるので、そうすることによって、小物収容空間から小物が突き出たまま放置されて卓上での載置安定性が損なわる、という事態が起こりにくい。
【００１２】
本考案では、家屋外壁の外観を模して形作られた上記箱体の上面開口を形成している一対の側板に三角形状の山形部が備わり、表紙と裏紙とそれらの間に介在されて上記カレンダー表示部を形成している複数枚のカレンダーカードとをめくり返し可能に連結することによって構成されたカレンダーの上記裏紙が、上記側板の山形部の片側の斜縁部に重なり状に保持されていると共に、このカレンダーの複数枚の上記カレンダーカードと上記表紙とが、上記側板の山形部の他側の斜縁部に対する重なり位置と上記裏紙に対する重なり位置との間で、上記山形部の頂部付近を中心としてめくり返し可能とされ、かつ、このカレンダーが、家屋の屋根の外観を模して形作られた上記カバーに転用されている、という構成を採用することが可能である。
【００１３】
このものによると、箱体によって家屋外壁が表現され、カレンダーによってその家屋の屋根が表現されることになるので、あたかも紙製の模型家屋のような装飾性が発揮されるようになり、そのことが、使用者の趣味感に訴えて高い商品価値を発揮するようになる。また、表紙と裏紙とそれらの間に介在されて上記カレンダー表示部を形成している複数枚のカレンダーカードとをめくり返し可能に連結することによって構成されたカレンダーをカバーに転用しているので、特別にカバーを設ける必要がないという利点があるだけでなく、そのカレンダーのカレンダーカードをめくり返すことによって異なる月のカレンダー表示部を見ることができるようになっていることが、今までにない使用感のカレンダーを提供することに役立ち、このことも、使用者の趣味感を満たすことに有効に作用すると云える。
【００１４】
本考案では、乗物の外観を模して形作られた上記箱体の内部空間が、仕切り板によって、小物を収容可能な第１収容室と、カレンダー表示部を形成している複数枚の重なり状態のカレンダーカードを起立姿勢で収容可能な第２収容室とに区画されていると共に、上記箱体の１つの側板に、カレンダーカードの収容室に差し込まれたカレンダーカードのカレンダー表示部が臨む開口窓が形成されている、という構成を採用することが可能である。また、この考案にあっては、上記カバーが、箱体に折曲り部を介して一体に連接されていることが望ましい。
【００１５】
このものによると、箱体によって自動車や電車などの乗物が表現されるので、あたかも模型乗物のような装飾性が発揮されるようになり、そのことが、使用者の趣味感に訴えて高い商品価値を発揮するようになる。また、カレンダーカードのカレンダー表示部を、箱体の１つの側板に形成されている開口窓を通して見ることができるようになっていることが、今までにない使用感のカレンダーを提供することに役立ち、このことも、使用者の趣味感を満たすことに有効に作用すると云える。この考案において、カバーが、箱体に折曲り部を介して一体に連接されている、という構成を採用しておくと、カバーの開閉を楽に行うことができ、しかも、カバーを紛失しにくいという利点がある。
【考案の効果】
【００１６】
以上のように、本考案に係るカレンダー兼用小物入れは、卓上で使用する際に、容易に倒れたりすることのない安定性を発揮する。また、本考案によれば、使用者の趣味性を満足させて商品価値の高いカレンダー兼用小物入れを提供することが可能になるという効果を奏する。
【図面の簡単な説明】
【００１７】
【図１】本考案に係るカレンダー兼用小物入れの外観斜視図である。
【図２】図１のカレンダー兼用小物入れについての他の状態での外観斜視図である。
【図３】図１のカレンダー兼用小物入れについてのさらに他の状態での外観斜視図である。
【図４】本考案に係る他のカレンダー兼用小物入れの外観斜視図である。
【図５】図４のカレンダー兼用小物入れについての他の状態での外観斜視図である。
【図６】組立手順を示した分解斜視図である。
【図７】組立手順を示した分解斜視図である。
【図８】カレンダーカードを例示した正面図である。
【考案を実施するための形態】
【００１８】
図１は本考案に係るカレンダー兼用小物入れの外観斜視図、図２は他の状態での同外観斜視図、図３はさらに他の状態での同外観斜視図である。
【００１９】
図１〜図３に示したカレンダー兼用小物入れは、模型家屋の全体外観を有していて、有底の箱体１０と、この箱体１０の上面開口１２を開閉可能なカバー２０とを備えている。家屋外壁の外観を模して形作られた上記箱体１０は、容易に変形することのない腰の強い厚紙で作られていて、図に現れていない矩形の底板と、その底板の４つの辺のそれぞれから立ち上がった板部を備えている。それらの板部のうち、前板１３と背板１４は矩形に形作られている。図３に示されているように、左右一対の側板１５，１６のそれぞれは、その上部が三角形状、具体的には二等辺三角形の山形部１５ａ，１６ａとされ、その下部が矩形部１５ｂ，１６ｂとされている（図３参照）。また、背板１４の上辺１４ａからは、一対の側板１５，１６のそれぞれの、二等辺三角形をなす山形部１５ａ，１６ａの片側の斜縁部（後側の斜縁部）に連続する傾斜板１７が延び出ている。そして、箱体１０を正立姿勢で卓上や陳列棚などの載置面に置いた状態では、人の手や物が軽く触れた程度では、容易に転倒することのない載置安定性が保たれている。
【００２０】
この箱体１０は、その内部空間が小物収容空間Ｓとして形成されていて、その上面開口１２が、前板１３と左右一対の側板１５，１６と傾斜板１７とによって取り囲まれている。
【００２１】
上記箱体１０は、それ自体が家屋外壁の外観を模して作られているだけでなく、図３に例示したように、その表面や裏面には、たとえば窓が装飾として印刷表示されている。また、図示していないけれども、箱体の表面や裏面に、動物や花などの装飾模様を印刷表示したり立体表示したりすることも可能である。
【００２２】
この実施形態において、カバー２０は、カレンダー３０を転用することによって形成されている。カバー２０に転用されているカレンダー３０は、図１に示されている厚手の硬い表紙３１及び裏紙３２とそれらの間に介在された所要枚数のシート状のカレンダーカード３３…とを有している。そして、それらの表紙３１、裏紙３２及び所要枚数のカレンダーカード３３…の一辺を綴じ具３５によってめくり返し可能に連結している。したがって、このカレンダー３０では、綴じ具３５を中心にして表紙３１を裏紙３２側にめくり返したり、表紙３１や任意枚数のカレンダーカード３３…を裏紙３２側にめくり返したりすることが可能である。図２に示されているように、個々のカレンダーカード３３には、年度や曜日、日付などのカレンダー機能を発揮させるためのカレンダー表示部３４が印刷表示されている。なお、カレンダー表示部３４は、１枚のカレンダーカード３３の表裏両面に具備させても、片面だけに具備させてもよい。
【００２３】
図３のように、カレンダー３０の裏紙３２は、箱体１０の傾斜板１８と、箱体１０の左右の側板１５，１６に備わっている山形部１５ａ，１６ａの片側の斜縁部とに重なり状に保持されている。保持手段には、傾斜板１８や山形部１５ａ，１６ａの片側の斜縁部に上記裏紙３２を接着剤で貼着する方法などを好適に採用することができる。
【００２４】
以上説明した実施形態に係るカレンダー兼用小物入れは、店頭での陳列に際しては、図１のように、カレンダー３０の全部のカレンダーカード３３と表紙３１とを、箱体１０の左右の側板１５，１６に備わっている山形部１５ａ，１６ａの他側の斜縁部に対する重なり位置に配置しておく。こうしておくと、箱体１０が家屋外壁を模して形作られていて、しかも、カバー２０に転用されて山形に保形されているカレンダー３０が家屋の屋根を模して形作られていることにより、全体として模型家屋の外観が醸し出される。そのことが、見る者の趣味感に訴える作用を高めることに役立ち、それだけ商品価値が向上する。
【００２５】
次に、上記カレンダー兼用小物入れを入手した使用者が、図２のように、カレンダー３０の表紙３１を、箱体１０の左右の側板１５，１６に備わっている山形部１５ａ，１６ａの頂部１５ｃ，１６ｃ（図３参照）付近、具体的には、綴じ具３５の位置を中心にして後方へめくり返すことによって裏紙３２に重ね合わせ、併せて、必要があれば、必要枚数のカレンダーカード３３を上記山形部１５ａ，１６ａの頂部１５ｃ，１６ｃ付近を中心にして裏紙３２や表紙３１との重なり位置にめくり返す。このようにすると、使用者が見たい月や年度を表示内容としているカレンダー表示部３４を備えたカレンダーカード３３が前方から見えるようになる。また、卓上などの載置面に置かれた箱体１０が、人の手や物が軽く触れた程度では容易に転倒しない程度の載置安定性を発揮する。
【００２６】
さらに、使用者が、箱体１０の小物収容空間Ｓを小物入れとして使いたいときには、図３のように、カバー２０に転用されているカレンダー３０の表紙３１と全部のカレンダーカード３３とを裏紙３２側にめくり返して、箱体１０の上面開口１２を開放することにより、その小物収容空間Ｓに、指輪やネックレスなどのアクセサリー、クッキーなどの菓子類、鉛筆や消しゴムなどの文具といった種々の小物を収容することが可能になる。小物収容空間Ｓに収容している小物を取り出すときも同様である。なお、小物収容空間Ｓに小物を収容したまま、カレンダー３０の表紙３１又はカレンダーカード３３を、上記山形部１５ａ，１６ａの他側（前側）の斜縁部に対する重なり位置にめくり返しておくと、そのカレンダー３０によって箱体１０の上面開口１２が閉じられるので、小物収容空間Ｓから小物が突き出したりすることがなくなって、図１又は図２のように全体外観が模型家屋のようになる。
【００２７】
図４は本考案に係る他のカレンダー兼用小物入れの外観斜視図、図５は他の状態での同外観斜視図、図６及び図７は組立手順を示した分解斜視図、図８はカレンダーカード３３を例示した正面図である。
【００２８】
図４又は図５に示したカレンダー兼用小物入れは、乗物の例示である自動車の全体外観を有していて、有底の箱体１０と、この箱体１０の上面開口１２を開閉可能なカバー２０とを備えている。乗物としての自動車の外観を模して形作られた上記箱体１０は、容易に変形することのない腰の強い厚紙で作られていて、後述する図６に示されている矩形の底板１１と、その底板１１の４つの辺のそれぞれから立ち上がった板部を備えている。それらの板部のうち、左側の側板１５と右側の側板１６とは自動車の側面視形状に似せて形作られている。また、前板１３は自動車のボンネットなどを含む前部の形状に似せて形作られ、背板１４は矩形に形作られている。この箱体１０は、その上面開口１２が、上記した前板１３、背板１４及び左右の側板１５，１６によって取り囲まれている。そして、箱体１０を正立姿勢で卓上や陳列棚などの載置面に置いた状態では、人の手や物が軽く触れた程度では、容易に転倒することのない載置安定性が保たれている。
【００２９】
上記箱体１０は、それ自体が自動車の外観を模して作られているだけでなく、その表面や裏面には、たとえばウインドー、ライト、冷気取入口などが装飾として印刷表示されている。図示していないけれども、箱体１０の表面や裏面に、動物や花などの装飾模様を印刷表示したり立体表示したりすることも可能である。
【００３０】
この実施形態において、矩形のカバー２０は、箱体１０の右側の側板１６の上縁に折曲り部２１を介して一体に連接されていて、その折曲り部２１の可撓性を利用することにより、上面開口１２を閉じる水平姿勢（図１参照）と、箱体１０の右側へ折り返されて上面開口１２を開放する姿勢との間で開閉揺動可能である。
【００３１】
図７のように、箱体１０の内部空間は、前後に長い仕切り板４１によって、内容積の大きな広い小物収容空間としての第１収容室Ｓ１と、その第１収容室Ｓ１の左側の幅の狭い第２収容室Ｓ２とに区画されている。そして、図５のように第２収容室Ｓ２に所要枚数のカレンダーカード３３が重なり状態で差し込み収容されて起立姿勢を保っている。また、箱体１０の左側の前板１３には、上記第２収容室Ｓ２に収容したカレンダーカード３３の月・年度や日付などを表示内容とするカレンダー表示部３４に臨んでそのカレンダー表示部３４を左方に対して露出させるための開口窓１９が形成されている。
【００３２】
図６によって判るように、上記仕切り板４１は、箱体１０の内側に差し込まれた平面視矩形に形作った紙製の角筒４０の一つの側板によって形成されている。なお、この仕切り板４１の外面には、上記開口窓１９を通し見ることのできるウインドなどの装飾が施されている。
【００３３】
図７によって判るように、箱体１０の内部空間を仕切り板４１で仕切ることによって形成された第２収容室Ｓ２には、所要枚数のカレンダーカード３３が重ね合わせて差し込み収容されている。こうして第２収容室Ｓ２に収容されている所要枚数のカレンダーカード３３のうち、最も外側のカレンダーカード３３のカレンダー表示部３４が、図５のように開口窓１９から露出して外部から見えるようになっている。
【００３４】
図８はカレンダーカード３３を例示したもので、この実施形態では、１枚の矩形のカレンダーカード３３に一月分の日付が表示されている。
【００３５】
以上説明した実施形態に係るカレンダー兼用小物入れは、店頭での陳列に際しては、たとえば図４のように、所要枚数のカレンダーカード３３を備えるカレンダー３０を、箱体１０の第２収容室Ｓ２に差し込み挿入し、カバー２０で箱体１０の上面開口１２を閉じておく。こうしておくと、箱体１０が模型自動車の外観が醸し出されることになり、そのことが、見る者の趣味感に訴える作用を高めることに役立ち、それだけ商品価値が向上する。カレンダー兼用小物入れを入手した使用者が、上記店頭での陳列状態と同様の状態で卓上に置いておくと、その使用者にとっては、カレンダー３０のカレンダー表示部３４が開口窓１９を通して見えるようになる。また、卓上などの載置面に置かれた箱体１０は、人の手や物が軽く触れた程度では容易に転倒しない程度の載置安定性を発揮する。
【００３６】
使用者が、箱体１０の第１収容室Ｓ１を小物入れとして使いたいときには、図５のように、カバー２０を箱体１０の右側へ折り返されて上面開口１２を開放する。こうすると、第１収容室Ｓ１に、指輪やネックレスなどのアクセサリー、クッキーなどの菓子類、鉛筆や消しゴムなどの文具といった種々の小物を収容することが可能になる。第１収容室Ｓ１に収容している小物を取り出すときも同様である。なお、第１収容室Ｓ１に小物を収容したまま、カバー２０を閉じると、第１収容室Ｓ１から小物が突き出したりすることがなくなって、図４のように全体外観が模型自動車のようになる。
【００３７】
ところで、仮に、上記カバー２０を箱体１０と別体として形成すると、カバー２０を開いたときにそのカバーが箱体１０から分離してしまい、紛失するおそれが大きくなる。この点に関して、この実施形態では、カバー２０と箱体１０とが折曲り部２１によって一体に連続しているので、カレンダー３０を開いても、そのカバー２０が箱体１０から分離して紛失してしまうというおそれがなくなる、という利点がある。
【００３８】
なお、図１〜図８において、同一又は相応する要素には同一符合を付してある。
【符号の説明】
【００３９】
Ｓ  小物収容空間
Ｓ１  第１収容室
Ｓ２  第２収容室
１０  箱体
１２  箱体の上面開口
１５，１６  側板
１５ａ，１６ａ  側板の山形部
１５ｃ，１６ｃ  山形部の頂部
１９  開口窓
２０  カバー
２１  折曲り部
３０  カレンダー
３１  表紙
３２  裏紙
３３  カレンダーカード
３４  カレンダー表示部
４１  仕切り板
【図１】
0003190907.tif 000003
【図２】
0003190907.tif 000004
【図３】
0003190907.tif 000005
【図４】
0003190907.tif 000006
【図５】
0003190907.tif 000007
【図６】
0003190907.tif 000008
【図７】
0003190907.tif 000009
【図８】
0003190907.tif 000010